(57)【要約】【課題】本発明は、ＲＧＢＷによる駆動回路及び平面ディスプレイを提供する。【解決手段】前記駆動回路で、第一レベルトランジスタスイッチの制御端は第一駆動線に、入力端は駆動信号源に、出力端は第三オフレベルトランジスタスイッチの入力端に、接続され、第三オフレベルトランジスタスイッチの制御端は第二駆動線に、出力端は第一サブ画素に接続され、第二レベルトランジスタスイッチの制御端は第一駆動線に、入力端は駆動信号源に、出力端は第三レベルトランジスタスイッチの入力端に、接続され、第三レベルトランジスタスイッチの制御端は第二駆動線に、出力端は第二サブ画素に接続され、第一オフレベルトランジスタスイッチの制御端は第一駆動線に、入力端は駆動信号源に、出力端は第四レベルトランジスタスイッチの入力端に、接続され、第四レベルトランジスタスイッチの制御端は第二駆動線に、出力端は第三サブ画素に、接続される。前記回路は駆動線が占める面積を減らし、開口率を高める。【選択図】図３
2018530775.tif 000002
【特許請求の範囲】
【請求項１】
第一駆動線と、
第二駆動線と、
第一レベルトランジスタスイッチと、
第二レベルトランジスタスイッチと、
第三レベルトランジスタスイッチと、
第四レベルトランジスタスイッチと、
第一オフレベルトランジスタスイッチと、
第二オフレベルトランジスタスイッチと、
第三オフレベルトランジスタスイッチと、
第四オフレベルトランジスタスイッチと、からなるＲＧＢＷによる駆動回路であって、
その内、レベルトランジスタスイッチは、制御端に第一レベルを入力した時オンになるトランジスタスイッチであり、
オフレベルトランジスタスイッチは、制御端に第二レベルを入力した時オンになるトランジスタスイッチであり、
前記第一レベルトランジスタスイッチの制御端は前記第一駆動線に接続され、
前記第一レベルトランジスタスイッチの入力端は前記駆動信号源に接続され、
前記第一レベルトランジスタスイッチの出力端は前記第三オフレベルトランジスタスイッチの入力端に接続され、
前記第三オフレベルトランジスタスイッチの制御端は前記第二駆動線に接続され、
前記第三オフレベルトランジスタスイッチの出力端は第一サブ画素に接続させるのに用いられ、
前記第二レベルトランジスタスイッチの制御端は前記第一駆動線に接続され、
前記第二レベルトランジスタスイッチの入力端は前記駆動信号源に接続され、
前記第二レベルトランジスタスイッチの出力端は前記第三レベルトランジスタスイッチの入力端に接続され、
前記第三レベルトランジスタスイッチの制御端は前記第二駆動線に接続され、
前記第三レベルトランジスタスイッチの出力端は第二サブ画素に接続させるのに用いられ、
前記第一オフレベルトランジスタスイッチの制御端は前記第一駆動線に接続され、
前記第一オフレベルトランジスタスイッチの入力端は前記駆動信号源に接続され、
前記第一オフレベルトランジスタスイッチの出力端は前記第四レベルトランジスタスイッチの入力端に接続され、
前記第四レベルトランジスタスイッチの制御端は前記第二駆動線に接続され、
前記第四レベルトランジスタスイッチの出力端は第三サブ画素に接続させるのに用いられ、
前記第二オフレベルトランジスタスイッチの制御端は前記第一駆動線に接続され、
前記第二オフレベルトランジスタスイッチの入力端は前記駆動信号源に接続され、
前記第二オフレベルトランジスタスイッチの出力端は前記第四オフレベルトランジスタスイッチの入力端に接続され、
前記第四オフレベルトランジスタスイッチの制御端は前記第二駆動線に接続され、
前記第四オフレベルトランジスタスイッチの出力端は第四サブ画素に接続させるのに用いられ、
第一駆動線が第一レベルを出力し、第二駆動線が第二レベルを出力させる時、前記第一レベルトランジスタスイッチ及び前記第三オフレベルトランジスタスイッチはいずれも、オンになり、それによって、前記駆動信号源が出力する駆動信号は、前記第一レベルトランジスタスイッチ及び前記第三オフレベルトランジスタスイッチを通じて、前記第一サブ画素へと出力され、
第一駆動線が第一レベルを出力し、第二駆動線が第一レベルを出力する時、前記第二レベルトランジスタスイッチ及び前記第三レベルトランジスタスイッチはいずれも、オンになり、それによって、前記駆動信号源が出力する駆動信号は、前記第二レベルトランジスタスイッチ及び前記第三レベルトランジスタスイッチを通じて、前記第二サブ画素へと出力され、
第一駆動線が第二レベルを出力し、第二駆動線が第一レベルを出力する時、前記第一オフレベルトランジスタスイッチ及び前記第四レベルトランジスタスイッチはいずれも、オンになり、それによって、前記駆動信号源が出力する駆動信号は、前記第一オフレベルトランジスタスイッチ及び前記第四レベルトランジスタスイッチを通じて、前記第三サブ画素へと出力され、
第一駆動線が第二レベルを出力し、第二駆動線が第二レベルを出力する時、前記第二オフレベルトランジスタスイッチ及び前記第四オフレベルトランジスタスイッチはいずれも、オンになり、それによって、前記駆動信号源が出力する駆動信号は、前記第二オフレベルトランジスタスイッチ及び前記第四オフレベルトランジスタスイッチを通じて、前記第四サブ画素へと出力される
ことを特徴とする、ＲＧＢＷによる駆動回路。
【請求項２】
前記第一レベルがハイレベルであり、第二レベルがローレベルである時、前記レベルトランジスタスイッチは、ハイレベルでオンになるトランジスタスイッチであり、
前記オフレベルトランジスタスイッチは、ローレベルでオンになるトランジスタスイッチである
ことを特徴とする、請求項１に記載の前記回路。
【請求項３】
前記ハイレベルでオンになるトランジスタスイッチは、Ｎ型電界効果トランジスタ、または、Ｃ型電界効果トランジスタであり、
前記ローレベルでオンになるトランジスタスイッチは、Ｐ型電界効果トランジスタである
ことを特徴とする、請求項２に記載の前記回路。
【請求項４】
前記第一レベルがローレベルであり、第二レベルがハイレベルである時、前記レベルトランジスタスイッチは、ローレベルでオンになるトランジスタスイッチであり、
前記オフレベルトランジスタスイッチは、ハイレベルでオンになるトランジスタスイッチである
ことを特徴とする、請求項１に記載の前記回路。
【請求項５】
前記ハイレベルでオンになるトランジスタスイッチは、Ｎ型電界効果トランジスタ、または、Ｃ型電界効果トランジスタであり、
前記ローレベルでオンになるトランジスタスイッチは、Ｐ型電界効果トランジスタである
ことを特徴とする、請求項４に記載の前記回路。
【請求項６】
平面ディスプレイパネル及び底板からなる平面ディスプレイであって、
前記平面ディスプレイパネルはＲＧＢＷ駆動回路からなり、
前記ＲＧＢＷ駆動回路は、
第一駆動線と、
第二駆動線と、
第一レベルトランジスタスイッチと、
第二レベルトランジスタスイッチと、
第三レベルトランジスタスイッチと、
第四レベルトランジスタスイッチと、
第一オフレベルトランジスタスイッチと、
第二オフレベルトランジスタスイッチと、
第三オフレベルトランジスタスイッチと、
第四オフレベルトランジスタスイッチと、からなり、
その内、レベルトランジスタスイッチは制御端に第一レベルを入力した時オンになるトランジスタスイッチであり、
オフレベルトランジスタスイッチは制御端に第二レベルを入力した時オンになるトランジスタスイッチであり、
前記第一レベルトランジスタスイッチの制御端は前記第一駆動線に接続され、
前記第一レベルトランジスタスイッチの入力端は前記駆動信号源に接続され、
前記第一レベルトランジスタスイッチの出力端は前記第三オフレベルトランジスタスイッチの入力端に接続され、
前記第三オフレベルトランジスタスイッチの制御端は前記第二駆動線に接続され、
前記第三オフレベルトランジスタスイッチの出力端は第一サブ画素に接続させるのに用いられ、
前記第二レベルトランジスタスイッチの制御端は前記第一駆動線に接続され、
前記第二レベルトランジスタスイッチの入力端は前記駆動信号源に接続され、
前記第二レベルトランジスタスイッチの出力端は前記第三レベルトランジスタスイッチの入力端に接続され、
前記第三レベルトランジスタスイッチの制御端は前記第二駆動線に接続され、
前記第三レベルトランジスタスイッチの出力端は第二サブ画素に接続させるのに用いられ、
前記第一オフレベルトランジスタスイッチの制御端は前記第一駆動線に接続され、
前記第一オフレベルトランジスタスイッチの入力端は前記駆動信号源に接続され、
前記第一オフレベルトランジスタスイッチの出力端は前記第四レベルトランジスタスイッチの入力端に接続され、
前記第四レベルトランジスタスイッチの制御端は前記第二駆動線に接続され、
前記第四レベルトランジスタスイッチの出力端は第三サブ画素に接続させるのに用いられ、
前記第二オフレベルトランジスタスイッチの制御端は前記第一駆動線に接続され、
前記第二オフレベルトランジスタスイッチの入力端は前記駆動信号源に接続され、
前記第二オフレベルトランジスタスイッチの出力端は前記第四オフレベルトランジスタスイッチの入力端に接続され、
前記第四オフレベルトランジスタスイッチの制御端は前記第二駆動線に接続され、
前記第四オフレベルトランジスタスイッチの出力端は第四サブ画素に接続させるのに用いられ、
第一駆動線が第一レベルを出力し、第二駆動線が第二レベルを出力させる時、前記第一レベルトランジスタスイッチ及び前記第三オフレベルトランジスタスイッチはいずれも、オンになり、それによって、前記駆動信号源が出力する駆動信号は、前記第一レベルトランジスタスイッチ及び前記第三オフレベルトランジスタスイッチを通じて、前記第一サブ画素へと出力され、
第一駆動線が第一レベルを出力し、第二駆動線が第一レベルを出力する時、前記第二レベルトランジスタスイッチ及び前記第三レベルトランジスタスイッチはいずれも、オンになり、それによって、前記駆動信号源が出力する駆動信号は、前記第二レベルトランジスタスイッチ及び前記第三レベルトランジスタスイッチを通じて、前記第二サブ画素へと出力され、
第一駆動線が第二レベルを出力し、第二駆動線が第一レベルを出力する時、前記第一オフレベルトランジスタスイッチ及び前記第四レベルトランジスタスイッチはいずれも、オンになり、それによって、前記駆動信号源が出力する駆動信号は、前記第一オフレベルトランジスタスイッチ及び前記第四レベルトランジスタスイッチを通じて、前記第三サブ画素へと出力させ、
第一駆動線が第二レベルを出力し、第二駆動線が第二レベルを出力する時、前記第二オフレベルトランジスタスイッチ及び前記第四オフレベルトランジスタスイッチはいずれも、オンになり、それによって、前記駆動信号源が出力する駆動信号は、前記第二オフレベルトランジスタスイッチ及び前記第四オフレベルトランジスタスイッチを通じて、前記第四サブ画素へと出力される
ことを特徴とする、平面ディスプレイ。
【請求項７】
前記第一レベルがハイレベルであり、第二レベルがローレベルである時、前記レベルトランジスタスイッチは、ハイレベルでオンになるトランジスタスイッチであり、
前記オフレベルトランジスタスイッチは、ローレベルでオンになるトランジスタスイッチである
ことを特徴とする、請求項１に記載の平面ディスプレイ。
【請求項８】
前記ハイレベルでオンになるトランジスタスイッチは、Ｎ型電界効果トランジスタ、または、Ｃ型電界効果トランジスタであり、
前記ローレベルでオンになるトランジスタスイッチは、Ｐ型電界効果トランジスタである
ことを特徴とする、請求項１に記載の平面ディスプレイ。
【請求項９】
前記第一レベルがローレベルであり、第二レベルがハイレベルである時、前記レベルトランジスタスイッチは、ローレベルでオンになるトランジスタスイッチであり、
前記オフレベルトランジスタスイッチは、ハイレベルでオンになるトランジスタスイッチである
ことを特徴とする、請求項１に記載の平面ディスプレイ。
【請求項１０】
前記ハイレベルでオンになるトランジスタスイッチは、Ｎ型電界効果トランジスタ、または、Ｃ型電界効果トランジスタであり、
前記ローレベルでオンになるトランジスタスイッチは、Ｐ型電界効果トランジスタである
ことを特徴とする、請求項９に記載の平面ディスプレイ。
【発明の詳細な説明】
【技術分野】
【０００１】
本発明は、２０１５年０８月２８日に提出した申請番号２０１５１０５４１００８．３・発明名称「ＲＧＢＷによる駆動回路及び平面ディスプレイ」の先願優先権を要求し、前記先願の内容は引用の方法で本文中に合併される。本発明は液晶ディスプレイの分野に関し、特にＲＧＢＷによる駆動回路及び平面ディスプレイに関する。
【背景技術】
【０００２】
図１を参照する。従来の平面ディスプレイの一つの画素点は、赤、緑、青（ＲＧＢ）の三つのサブ画素からなり、各サブ画素は、０〜２５５の全部で２５６個のグレースケールがあり、赤、緑、青サブ画素の様々なグレースケールの組み合わせによって、様々な色を形成することができる。平面ディスプレイの発展に伴って、人々の平面ディスプレイに対する鮮明度の要求もますます高くなっており、平面ディスプレイの解像度に対する要求もますます高くなっており、同じサイズの平面ディスプレイにおいて、平面ディスプレイの開口率もますます低くなり、バックライトの透光率もますます低くなっている。したがって、従来のＲＧＢモデルでは平面ディスプレイの発展に伴う要求を満たすことができない。ＲＧＢＷモデルでは革新的に従来のＲＧＢの三つの基本的な色の基礎に白色（Ｗｈｉｔｅ）サブ画素を加える。白色サブ画素の透光率は赤、緑、青の三種のサブ画素内の任意の一種の三倍であるため、平面ディスプレイ全体の透光率を効果的に高めることができる。
【０００３】
図２を参照する。赤、緑、青、白サブ画素からなる内側にある画素点は、駆動回路によって駆動を行うことが必要である。ＲＧＢＷによる駆動回路は、第一駆動線２０１と、第二駆動線２０２と、第三駆動線２０３と、第四駆動線２０４と、第一トランジスタスイッチＫ１と、第二トランジスタスイッチＫ２と、第三トランジスタスイッチＫ３と、第四トランジスタスイッチＫ４と、からなる。第一トランジスタスイッチＫ１の制御端は第一駆動線２０１に接続され、第一トランジスタスイッチＫ１の入力端は駆動信号源２０５に接続され、第一トランジスタスイッチＫ１の入力端は赤色サブ画素に接続され、第二トランジスタスイッチＫ２の制御端は第二駆動線２０２に接続され、第二トランジスタスイッチＫ２の入力端は駆動信号源２０５に接続され、第二トランジスタスイッチＫ２の入力端は緑色サブ画素に接続され、第三トランジスタスイッチＫ３の制御端は第三駆動線２０３に接続され、第三トランジスタスイッチＫ３の入力端は駆動信号源に接続され、第三トランジスタスイッチＫ３の入力端は青色サブ画素に接続され、第四トランジスタスイッチＫ４の制御端は第四駆動線に接続され、第四トランジスタスイッチＫ４の入力端は駆動信号源に接続され、第四トランジスタスイッチＫ４の入力端は白色サブ画素に接続される。
【０００４】
第一駆動線２０１がハイレベルを出力し、第二駆動線２０２がローレベルを出力し、第三駆動線２０３がローレベルを出力し、第四駆動線２０４がローレベルを出力する時、第一トランジスタスイッチＫ１はオンになり、第二トランジスタスイッチＫ２はオフになり、第三トランジスタスイッチＫ３はオフになり、第四トランジスタスイッチＫ４はオフになる。駆動信号源２０５が出力する駆動信号は第一トランジスタスイッチＫ１によって赤色サブ画素へと出力され、それによって、バックライトが発生させる光を通じて、赤色サブ画素に赤い光を発生させることができる。
【０００５】
第一駆動線Ｋ１がローレベルを出力し、第二駆動線Ｋ２がハイレベルを出力し、第三駆動線Ｋ３がローレベルを出力し、第四駆動線Ｋ４がローレベルを出力する時、第一トランジスタスイッチＫ１はオフになり、第二トランジスタスイッチＫ２はオンになり、第三トランジスタスイッチＫ３はオフになり、第四トランジスタスイッチＫ４はオフになる。駆動信号源２０５が出力する駆動信号は、第二トランジスタスイッチＫ２によって緑色サブ画素へと出力され、それによって、バックライトが発生させる光を通じて、緑色サブ画素に緑の光を発生させることができる。
【０００６】
第一駆動線２０１がローレベルを出力し、第二駆動線２０２がローレベルを出力し、第三駆動線２０３がハイレベルを出力し、第四駆動線２０４がローレベルを出力する時、第一トランジスタスイッチＫ１はオフになり、第二トランジスタスイッチＫ２はオフになり、第三トランジスタスイッチＫ３はオンになり、第四トランジスタスイッチＫ４はオフになる。駆動信号源２０５が出力する駆動信号は第三トランジスタスイッチＫ３によって青色サブ画素へと出力され、それによって、バックライトが発生させる光を通じて、青色サブ画素に青い光を発生させることができる。
【０００７】
第一駆動線２０１がローレベルを出力し、第二駆動線２０２がローレベルを出力し、第三駆動線２０３がローレベルを出力し、第四駆動線２０４がハイレベルを出力する時、第一トランジスタスイッチＫ１はオフになり、第二トランジスタスイッチＫ２はオフになり、第三トランジスタスイッチＫ３はオフになり、第四トランジスタスイッチＫ４はオンになる。駆動信号源２０５が出力する駆動信号は、第四トランジスタスイッチＫ４によって白色サブ画素へと出力され、それによって、バックライトが発生させる光を通じて、白色サブ画素に白い光を発生させる。
【０００８】
したがって、赤、緑、青、白の四つのサブ画素を駆動させるには、四本の駆動線が必ず必要であるが、実際の応用において駆動線は多くの面積を占めるため、平面ディスプレイの開口率を低下させてしまう。
【発明の概要】
【発明が解決しようとする課題】
【０００９】
本発明の実施例は、駆動線が占める面積を少なくし、平面ディスプレイの開口率を高めることができるＲＧＢＷによる駆動回路及び平面ディスプレイを提供することを目的とする。
【課題を解決するための手段】
【００１０】
本発明が提供するＲＧＢＷによる駆動回路は、
第一駆動線と、第二駆動線と、第一レベルトランジスタスイッチと、第二レベルトランジスタスイッチと、第三レベルトランジスタスイッチと、第四レベルトランジスタスイッチと、第一オフレベルトランジスタスイッチと、第二オフレベルトランジスタスイッチと、第三オフレベルトランジスタスイッチと、第四オフレベルトランジスタスイッチと、からなる。
その内、レベルトランジスタスイッチは、制御端に第一レベルを入力した時オンになるトランジスタスイッチであり、オフレベルトランジスタスイッチは、制御端に第二レベルを入力した時オンになるトランジスタスイッチである。
前記第一レベルトランジスタスイッチの制御端は前記第一駆動線に接続され、
前記第一レベルトランジスタスイッチの入力端は前記駆動信号源に接続され、
前記第一レベルトランジスタスイッチの出力端は前記第三オフレベルトランジスタスイッチの入力端に接続され、
前記第三オフレベルトランジスタスイッチの制御端は前記第二駆動線に接続され、
前記第三オフレベルトランジスタスイッチの出力端は第一サブ画素に接続させるのに用いられる。
前記第二レベルトランジスタスイッチの制御端は前記第一駆動線に接続され、
前記第二レベルトランジスタスイッチの入力端は前記駆動信号源に接続され、
前記第二レベルトランジスタスイッチの出力端は前記第三レベルトランジスタスイッチの入力端に接続され、
前記第三レベルトランジスタスイッチの制御端は前記第二駆動線に接続され、
前記第三レベルトランジスタスイッチの出力端は第二サブ画素に接続させるのに用いられる。
前記第一オフレベルトランジスタスイッチの制御端は前記第一駆動線に接続され、
前記第一オフレベルトランジスタスイッチの入力端は前記駆動信号源に接続され、
前記第一オフレベルトランジスタスイッチの出力端は前記第四レベルトランジスタスイッチの入力端に接続され、
前記第四レベルトランジスタスイッチの制御端は前記第二駆動線に接続され、
前記第四レベルトランジスタスイッチの出力端は第三サブ画素に接続させるのに用いられる。
前記第二オフレベルトランジスタスイッチの制御端は前記第一駆動線に接続され、前記第二オフレベルトランジスタスイッチの入力端は前記駆動信号源に接続され、
前記第二オフレベルトランジスタスイッチの出力端は前記第四オフレベルトランジスタスイッチの入力端に接続され、
前記第四オフレベルトランジスタスイッチの制御端は前記第二駆動線に接続され、
前記第四オフレベルトランジスタスイッチの出力端は第四サブ画素に接続させるのに用いられる。
第一駆動線が第一レベルを出力し、第二駆動線が第二レベルを出力させる時、前記第一レベルトランジスタスイッチ及び前記第三オフレベルトランジスタスイッチはいずれも、オンになり、それによって、前記駆動信号源が出力する駆動信号は、前記第一レベルトランジスタスイッチ及び前記第三オフレベルトランジスタスイッチを通じて、前記第一サブ画素へと出力される。
第一駆動線が第一レベルを出力し、第二駆動線が第一レベルを出力する時、前記第二レベルトランジスタスイッチ及び前記第三レベルトランジスタスイッチはいずれも、オンになり、それによって、前記駆動信号源が出力する駆動信号は、前記第二レベルトランジスタスイッチ及び前記第三レベルトランジスタスイッチを通じて、前記第二サブ画素へと出力される。
第一駆動線が第二レベルを出力し、第二駆動線が第一レベルを出力する時、前記第一オフレベルトランジスタスイッチ及び前記第四レベルトランジスタスイッチはいずれも、オンになり、それによって、前記駆動信号源が出力する駆動信号は、前記第一オフレベルトランジスタスイッチ及び前記第四レベルトランジスタスイッチを通じて、前記第三サブ画素へと出力される。
第一駆動線が第二レベルを出力し、第二駆動線が第二レベルを出力する時、前記第二オフレベルトランジスタスイッチ及び前記第四オフレベルトランジスタスイッチはいずれも、オンになり、それによって、前記駆動信号源が出力する駆動信号は、前記第二オフレベルトランジスタスイッチ及び前記第四オフレベルトランジスタスイッチを通じて、前記第四サブ画素へと出力される。
【００１１】
選択的に、前記第一レベルがハイレベルであり、第二レベルがローレベルである時、前記レベルトランジスタスイッチは、ハイレベルでオンになるトランジスタスイッチであり、
前記オフレベルトランジスタスイッチは、ローレベルでオンになるトランジスタスイッチである。
【００１２】
選択的に、前記ハイレベルでオンになるトランジスタスイッチは、Ｎ型電界効果トランジスタ、または、Ｃ型電界効果トランジスタであり、
前記ローレベルでオンになるトランジスタスイッチは、Ｐ型電界効果トランジスタである。
【００１３】
選択的に、前記第一レベルがローレベルであり、第二レベルがハイレベルである時、前記レベルトランジスタスイッチは、ローレベルでオンになるトランジスタスイッチであり、
前記オフレベルトランジスタスイッチは、ハイレベルでオンになるトランジスタスイッチである。
【００１４】
選択的に、前記ハイレベルでオンになるトランジスタスイッチは、Ｎ型電界効果トランジスタ、または、Ｃ型電界効果トランジスタであり、
前記ローレベルでオンになるトランジスタスイッチは、Ｐ型電界効果トランジスタである。
【００１５】
本発明は、さらに、平面ディスプレイパネルと、底板と、からなる平面ディスプレイを提供する。
前記平面ディスプレイは、ＲＧＢＷ駆動回路からなる。
前記ＲＧＢＷ駆動回路は、
第一駆動線と、第二駆動線と、第一レベルトランジスタスイッチと、第二レベルトランジスタスイッチと、第三レベルトランジスタスイッチと、第四レベルトランジスタスイッチと、第一オフレベルトランジスタスイッチと、第二オフレベルトランジスタスイッチと、第三オフレベルトランジスタスイッチと、第四オフレベルトランジスタスイッチと、からなる。
その内、レベルトランジスタスイッチは、制御端に第一レベルを入力した時オンになるトランジスタスイッチであり、オフレベルトランジスタスイッチは、制御端に第二レベルを入力した時オンになるトランジスタスイッチである。
前記第一レベルトランジスタスイッチの制御端は前記第一駆動線に接続され、
前記第一レベルトランジスタスイッチの入力端は前記駆動信号源に接続され、
前記第一レベルトランジスタスイッチの出力端は前記第三オフレベルトランジスタスイッチの入力端に接続され、
前記第三オフレベルトランジスタスイッチの制御端は前記第二駆動線に接続され、
前記第三オフレベルトランジスタスイッチの出力端は第一サブ画素に接続させるのに用いられる。
前記第二レベルトランジスタスイッチの制御端は前記第一駆動線に接続され、
前記第二レベルトランジスタスイッチの入力端は前記駆動信号源に接続され、
前記第二レベルトランジスタスイッチの出力端は前記第三レベルトランジスタスイッチの入力端に接続され、
前記第三レベルトランジスタスイッチの制御端は前記第二駆動線に接続され、
前記第三レベルトランジスタスイッチの出力端は第二サブ画素に接続させるのに用いられる。
前記第一オフレベルトランジスタスイッチの制御端は前記第一駆動線に接続され、
前記第一オフレベルトランジスタスイッチの入力端は前記駆動信号源に接続され、
前記第一オフレベルトランジスタスイッチの出力端は前記第四レベルトランジスタスイッチの入力端に接続され、
前記第四レベルトランジスタスイッチの制御端は前記第二駆動線に接続され、
前記第四レベルトランジスタスイッチの出力端は第三サブ画素に接続させるのに用いられる。
前記第二オフレベルトランジスタスイッチの制御端は前記第一駆動線に接続され、
前記第二オフレベルトランジスタスイッチの入力端は前記駆動信号源に接続され、
前記第二オフレベルトランジスタスイッチの出力端は前記第四オフレベルトランジスタスイッチの入力端に接続され、
前記第四オフレベルトランジスタスイッチの制御端は前記第二駆動線に接続され、
前記第四オフレベルトランジスタスイッチの出力端は第四サブ画素に接続させるのに用いられる。
第一駆動線が第一レベルを出力し、第二駆動線が第二レベルを出力させる時、前記第一レベルトランジスタスイッチ及び前記第三オフレベルトランジスタスイッチはいずれも、オンになり、それによって、前記駆動信号源が出力する駆動信号は、前記第一レベルトランジスタスイッチ及び前記第三オフレベルトランジスタスイッチを通じて、前記第一サブ画素へと出力される。
第一駆動線が第一レベルを出力し、第二駆動線が第一レベルを出力する時、前記第二レベルトランジスタスイッチ及び前記第三レベルトランジスタスイッチはいずれも、オンになり、それによって、前記駆動信号源が出力する駆動信号は、前記第二レベルトランジスタスイッチ及び前記第三レベルトランジスタスイッチを通じて、前記第二サブ画素へと出力される。
第一駆動線が第二レベルを出力し、第二駆動線が第一レベルを出力する時、前記第一オフレベルトランジスタスイッチ及び前記第四レベルトランジスタスイッチはいずれも、オンになり、それによって、前記駆動信号源が出力する駆動信号は、前記第一オフレベルトランジスタスイッチ及び前記第四レベルトランジスタスイッチを通じて、前記第三サブ画素へと出力される。
第一駆動線が第二レベルを出力し、第二駆動線が第二レベルを出力する時、前記第二オフレベルトランジスタスイッチ及び前記第四オフレベルトランジスタスイッチはいずれも、オンになり、それによって、前記駆動信号源が出力する駆動信号は、前記第二オフレベルトランジスタスイッチ及び前記第四オフレベルトランジスタスイッチを通じて、前記第四サブ画素へと出力される。
【００１６】
選択的に、前記第一レベルがハイレベルであり、第二レベルがローレベルである時、前記レベルトランジスタスイッチは、ハイレベルでオンになるトランジスタスイッチであり、
前記オフレベルトランジスタスイッチは、ローレベルでオンになるトランジスタスイッチである。
【００１７】
選択的に、前記ハイレベルでオンになるトランジスタスイッチは、Ｎ型電界効果トランジスタ、または、Ｃ型電界効果トランジスタであり、
前記ローレベルでオンになるトランジスタスイッチは、Ｐ型電界効果トランジスタである。
【００１８】
選択的に、前記第一レベルがローレベルであり、第二レベルがハイレベルである時、前記レベルトランジスタスイッチは、ローレベルでオンになるトランジスタスイッチであり、
前記オフレベルトランジスタスイッチは、ハイレベルでオンになるトランジスタスイッチである。
【００１９】
選択的に、前記ハイレベルでオンになるトランジスタスイッチは、Ｎ型電界効果トランジスタ、または、Ｃ型電界効果トランジスタであり、
前記ローレベルでオンになるトランジスタスイッチは、Ｐ型電界効果トランジスタである。
【発明の効果】
【００２０】
本発明の実施例を実施することによって、二本の駆動線及び八つのトランジスタスイッチを時間に沿って連携させることによって、ＲＧＢＷモデル内の四つのサブ画素を駆動させることができ、四本の駆動線によって四つのサブ画素を駆動させるという元々の方式に比べて、駆動線の数を減らし、駆動線が占める面積を少なくし、平面ディスプレイの開口率を高めることができる。
【図面の簡単な説明】
【００２１】
本発明の実施例または従来の技術における技術的解決策について、更に詳しく説明するため、以下では実施例または従来の技術についての説明において使用する必要がある図面について簡単に紹介する。明らかに、以下の説明における図面は本発明の実施例の一つに過ぎず、本分野の一般的な技術者は、独創性を加えないという前提の下で、これらの図面に基づきその他の図面を得ることができる。
【００２２】
【図１】ＲＧＢモデルによる平面ディスプレイとＲＧＢＷモデルによる平面ディスプレイを比較した図である。
【図２】従来の技術の駆動回路の回路図である。
【図３】本発明の実施例のＲＧＢＷによる駆動回路の回路図である。
【図４】本発明の実施例のもう一つのＲＧＢＷによる駆動回路の回路図である。
【発明を実施するための形態】
【００２３】
以下では本発明の実施例内の図面を参照しつつ、本発明の実施例内の技術的解決策について明確且つ完全な説明を行う。明らかに、説明する実施例は本発明の実施例の一部に過ぎず、実施例のすべてではない。本発明の実施例に基づき、本分野の一般的な技術者が独創性を加えないで得られたすべてのその他の実施例も、すべて本発明の保護範囲に含まれるものとする。
【００２４】
説明しておくべきなのは、在本発明の実施例内で使用する用語は、特に実施例の目的を説明するためのものであり、決して本発明に制限を加えるものではない。本発明の実施例及び付属する権利請求書内で使用する単数形の"一種の"、"前記"及び"当該"も多くの形式からなり、前後ではっきりとその他の意味について示した場合はこの限りではない。さらに理解しておくべきなのは、本文中で使用する用語"と／または"は、一つの或いは複数の互いに関係して列挙される項目の任意のまたはすべての組み合わせを指す。
【００２５】
図３を参照する。図３は本発明の実施例のＲＧＢＷによる駆動回路の回路図である。本実施例のＲＧＢＷによる駆動回路は、第一駆動線３０１と、第二駆動線３０２と、第一レベルトランジスタスイッチＱ１と、第二レベルトランジスタスイッチＱ２と、第三レベルトランジスタスイッチＱ３と、第四レベルトランジスタスイッチＱ４と、第一オフレベルトランジスタスイッチＱ５と、第二オフレベルトランジスタスイッチＱ６と、第三オフレベルトランジスタスイッチＱ７と、第四オフレベルトランジスタスイッチＱ８と、からなる。その内、レベルトランジスタスイッチは、制御端に第一レベルを入力した時オンになるトランジスタスイッチであり、オフレベルトランジスタスイッチは、制御端に第二レベルを入力した時オンになるトランジスタスイッチである。
【００２６】
第一レベルトランジスタスイッチＱ１の制御端は第一駆動線３０１に接続され、第一レベルトランジスタスイッチＱ１の入力端は駆動信号源３０３に接続され、第一レベルトランジスタスイッチＱ１の出力端は第三オフレベルトランジスタスイッチＱ７の入力端に接続され、第三オフレベルトランジスタスイッチＱ７の制御端は第二駆動線３０２に接続され、第三オフレベルトランジスタスイッチＱ７の出力端は赤色サブ画素に接続させるのに用いられる。
【００２７】
第二レベルトランジスタスイッチＱ２の制御端は第一駆動線３０１に接続され、第二レベルトランジスタスイッチＱ２の入力端は駆動信号源３０３に接続され、第二レベルトランジスタスイッチＱ２の出力端は第三レベルトランジスタスイッチＱ３の入力端に接続され、第三レベルトランジスタスイッチＱ３の制御端は第二駆動線３０２に接続され、第三レベルトランジスタスイッチＱ３の出力端は緑色サブ画素に接続させるのに用いられる。
【００２８】
第一オフレベルトランジスタスイッチＱ５の制御端は第一駆動線３０１に接続され、第一オフレベルトランジスタスイッチＱ５の入力端は駆動信号源３０３に接続され、第一オフレベルトランジスタスイッチＱ５の出力端は第四レベルトランジスタスイッチＱ４の入力端に接続され、第四レベルトランジスタスイッチＱ４の制御端は第二駆動線３０２に接続され、第四レベルトランジスタスイッチＱ４の出力端は青色サブ画素に接続させるのに用いられる。
【００２９】
第二オフレベルトランジスタスイッチＱ６の制御端は第一駆動線３０１に接続され、第二オフレベルトランジスタスイッチＱ８の入力端は駆動信号源３０３に接続され、第二オフレベルトランジスタスイッチＱ６の出力端は第四オフレベルＱ８トランジスタスイッチの入力端に接続され、第四オフレベルトランジスタスイッチＱ８の制御端は第二駆動線３０２に接続され、第四オフレベルトランジスタスイッチＱ８の出力端は白色サブ画素に接続させるのに用いられる。
【００３０】
第一駆動線３０１がハイレベルを出力し、第二駆動線３０２がローレベルを出力する時、第一レベルトランジスタスイッチＱ１及び第三オフレベルトランジスタスイッチＱ７はいずれもオンになり、駆動信号源３０３が出力する駆動信号は、第一レベルトランジスタスイッチＱ１及び第三オフレベルトランジスタスイッチＱ７によって、赤色サブ画素へと出力される。この時、第一駆動線３０１及び第二駆動線３０２の作用によって、第二レベルトランジスタスイッチＱ２はオンになり、第三レベルトランジスタスイッチＱ３はオフになるため、第二レベルトランジスタスイッチＱ２及び第三レベルトランジスタスイッチＱ３によって、駆動信号源３０３が出力する駆動信号を、緑色サブ画素へと出力させることができない。第一オフレベルトランジスタスイッチＱ５はオフになり、第四レベルトランジスタスイッチＱ４はオフになるため、第一オフレベルトランジスタスイッチＱ５及び第四レベルトランジスタスイッチＱ４によって、駆動信号源３０３が出力する駆動信号を、青色サブ画素へと出力させることができない。第二オフレベルトランジスタスイッチＱ６はオフになり、第四オフレベルトランジスタスイッチＱ８はオンになるため、第二オフレベルトランジスタスイッチＱ６及び第四オフレベルトランジスタスイッチＱ８によって、駆動信号源３０３が出力する駆動信号を、白色サブ画素へと出力させることができない。
【００３１】
第一駆動線３０１がハイレベルを出力し、第二駆動線３０２がハイレベルを出力する時、第二レベルトランジスタスイッチＱ２及び第三レベルトランジスタスイッチＱ３はいずれもオンになり、それによって、駆動信号源３０３が出力する駆動信号は、第二レベルトランジスタスイッチＱ２及び第三レベルトランジスタスイッチＱ３を通じて、緑色サブ画素へと出力される。この時、第一駆動線３０１及び第二駆動線３０２の作用によって、第一レベルトランジスタスイッチＱ１はオンになり、第三オフレベルトランジスタスイッチＱ７はオフになるため、第一レベルトランジスタスイッチＱ１及び第三オフレベルトランジスタスイッチＱ７を通じて、駆動信号源３０３が出力する駆動信号を、赤色サブ画素へと出力することができない。第一オフレベルトランジスタスイッチＱ５はオフになり、第四レベルトランジスタスイッチＱ４はオンになるため、第一オフレベルトランジスタスイッチＱ５及び第四レベルトランジスタスイッチＱ４を通じて、駆動信号源３０３が出力する駆動信号を、青色サブ画素へと出力することができない。第二オフレベルトランジスタスイッチＱ６はオフになり、第四オフレベルトランジスタスイッチＱ８はオフになるため、第二オフレベルトランジスタスイッチＱ６及び第四オフレベルトランジスタスイッチＱ８を通じて、駆動信号源３０３が出力する駆動信号を、白色サブ画素へと出力することができない。
【００３２】
第一駆動線３０１がローレベルを出力し、第二駆動線３０２がハイレベルを出力する時、第一オフレベルトランジスタスイッチＱ５及び第四レベルトランジスタスイッチＱ４はいずれもオンになり、それによって、駆動信号源３０３が出力する駆動信号は、第一オフレベルトランジスタスイッチＱ５及び第四レベルトランジスタスイッチＱ４を通じて、青色サブ画素へと出力される。この時、第一駆動線３０１及び第二駆動線３０２の作用によって、第一レベルトランジスタスイッチＱ１はオフになり、第三オフレベルトランジスタスイッチＱ７はオフになるため、第一レベルトランジスタスイッチＱ１及び第三オフレベルトランジスタスイッチＱ７を通じて、駆動信号源３０３が出力する駆動信号を、赤色サブ画素へと出力することができない。第二レベルトランジスタスイッチＱ２はオフになり、第三レベルトランジスタスイッチＱ３はオンになるため、第二レベルトランジスタスイッチＱ２及び第三レベルトランジスタスイッチＱ３を通じて、駆動信号源３０３が出力する駆動信号を、緑色サブ画素へと出力することができない。第二オフレベルトランジスタスイッチＱ６はオンになり、第四オフレベルトランジスタスイッチＱ８はオフになるため、第二オフレベルトランジスタスイッチＱ６及び第四オフレベルトランジスタスイッチＱ８を通じて、駆動信号源３０３が出力する駆動信号を、白色サブ画素へと出力することができない。
【００３３】
第一駆動線３０１がローレベルを出力し、第二駆動線３０２がローレベルを出力する時、第二オフレベルトランジスタスイッチＱ６及び第四オフレベルトランジスタスイッチＱ８はいずれもオンになり、それによって、駆動信号源３０３が出力する駆動信号は、第二オフレベルトランジスタスイッチＱ６及び第四オフレベルトランジスタスイッチＱ８を通じて、白色サブ画素へと出力される。この時、第一駆動線３０１及び第二駆動線３０２の作用によって、第一レベルトランジスタスイッチＱ１はオフになり、第三オフレベルトランジスタスイッチＱ７はオンになるため、第一レベルトランジスタスイッチＱ１及び第三オフレベルトランジスタスイッチＱ７によって、駆動信号源３０３が出力する駆動信号を、赤色サブ画素へと出力させることができない。第二レベルトランジスタスイッチＱ２はオフになり、第三レベルトランジスタスイッチＱ３はオフになるため、第二レベルトランジスタスイッチＱ２及び第三レベルトランジスタスイッチＱ３によって、駆動信号源３０３が出力する駆動信号を、緑色サブ画素へと出力させることができない。第一オフレベルトランジスタスイッチＱ５はオンになり、第四レベルトランジスタスイッチＱ４はオフになるため、第一オフレベルトランジスタスイッチＱ５及び第四レベルトランジスタスイッチＱ４によって、駆動信号源３０３が出力する駆動信号を、青色サブ画素へと出力させることができない。
【００３４】
上記のような論理に基づき、表１が示すような制御論理の真理値表一が得られる。
【表１】
2018530775.tif 000003
【００３５】
その内、Ｈはハイレベルであり、Ｌはローレベルである。
【００３６】
この時、上記のレベルトランジスタスイッチは、ハイレベルでオンになるトランジスタスイッチであり、例えば、Ｎ型電界効果トランジスタ或いはＣ型電界効果トランジスタなどである。オフレベルトランジスタスイッチは、ローレベルでオンになるトランジスタスイッチであり、例えば、Ｐ型電界効果トランジスタなどである。
【００３７】
理解できることとして、上記の赤色サブ画素と、緑色サブ画素と、青色サブ画素と、白色サブ画素の位置は互いに換えることができ、駆動回路の作動効果に影響を与えることはない。
【００３８】
本発明の実施例を実施し、二本の駆動線及び八つのトランジスタスイッチを時間に沿って連携させることによって、ＲＧＢＷモデル内の四つのサブ画素の駆動を行うことができる。四本の駆動線によって四つのサブ画素が駆動を行うという元々の方式に比べて、駆動線の数を減らし、駆動線が占める面積を減らし、平面ディスプレイの開口率を高めることができる。
【００３９】
図４を参照する。駆動回路も反対の論理によって設置を行うことができる。例えば、図３内のレベルトランジスタスイッチをオフレベルトランジスタスイッチとして設け、オフレベルトランジスタスイッチをレベルトランジスタスイッチとして設けると図４のような駆動回路が得られる。この時、第一駆動線３０１及び第二駆動線３０２が出力させる電圧は、前実施例と反対であり、同様に赤、緑、青、白の四つのサブ画素の駆動をすることができる。この論理に基づくと、表２が示すような制御論理の真理値表二が得られる。
【表２】
2018530775.tif 000004
【００４０】
その内、Ｈはハイレベルであり、Ｌはローレベルである。
【００４１】
具体的には、図３及びそれに関係する説明を参照し、ここでは説明を省略する。
【００４２】
本発明は、さらに、平面ディスプレイパネル及び底板からなる平面ディスプレイを提供する。平面ディスプレイパネルは、ＲＧＢＷ駆動回路からなり、具体的には、図３及びそれに関係する説明を参照し、ここでは記載を省略する。
【００４３】
本分野の一般的な技術者は、上記の実施例方法内の全部或いは一部の工程を理解したうえで実施することができ、コンピュータのプログラムによって関係するハードウェアに指示をして達成することができる。前記のプログラムは、コンピュータの読み取り記憶媒体に保存することができ、前記工程を実行する時、上記各方法の実施例の工程のように行うことができる。その内、前記の記憶媒体はハードディスク、コンパクトディスク、リードオンリーメモリ（Ｒｅａｄ−Ｏｎｌｙ  Ｍｅｍｏｒｙ、ＲＯＭ）或いはランダムアクセスメモリ（Ｒａｎｄｏｍ  Ａｃｃｅｓｓ  Ｍｅｍｏｒｙ、ＲＡＭ）などによることができる。
【００４４】
以上で明らかにしたものは、本発明の好ましい実施例に過ぎず、当然ながらこれによって本発明の権利範囲を限定するものではなく、本分野の一般的な技術者は当該実施例の全部或いは一部の工程を理解したうえで実施することができ、また本発明の権利請求に基づき行われる同じような変更も、本発明の包含する範囲に含まれるものとする。
【符号の説明】
【００４５】
２０１    第一駆動線
２０２    第二駆動線
２０３    第三駆動線
２０４    第四駆動線
２０５    駆動信号源
Ｋ１    第一トランジスタスイッチ
Ｋ２    第二トランジスタスイッチ
Ｋ３    第三トランジスタスイッチ
Ｋ４    第四トランジスタスイッチ
３０１    第一駆動線
３０２    第二駆動線
３０３    駆動信号源
Ｑ１    第一レベルトランジスタスイッチ
Ｑ２    第二レベルトランジスタスイッチ
Ｑ３    第三レベルトランジスタスイッチ
Ｑ４    第四レベルトランジスタスイッチ
Ｑ５    第一オフレベルトランジスタスイッチ
Ｑ６    第二オフレベルトランジスタスイッチ
Ｑ７    第三オフレベルトランジスタスイッチ
Ｑ８    第四オフレベルトランジスタスイッチ
【図１】
2018530775.tif 000005
【図２】
2018530775.tif 000006
【図３】
2018530775.tif 000007
【図４】
2018530775.tif 000008
【国際調査報告】
2018530775.tif 000009
2018530775.tif 000010
2018530775.tif 000011
2018530775.tif 000012